(57)【要約】【課題】直接波音声信号、基地局波音声信号、直接波音声信号と基地局波音声信号の音声合成信号のいずれかを適切に選択することができる無線通信システムを提供する。【解決手段】基地局波音声信号、直接波音声信号、基地局波音声信号と直接波音声信号の音声合成信号のいずれかを選択する音声選択処理部２０７ａと、音声選択処理部２０７ａの選択に基づいて、基地局波音声信号または直接波音声信号に切り換える音声選択部２０６ａと、基地局波音声信号と直接波音声信号を合成する音声合成部２０６ｄと、音声選択部２０６ａまたは音声合成部２０６ｄのいずれかに切り換える音声切換スイッチ２０６ｅとを備え、音声選択処理部２０７ａは、基地局波音声信号と直接波音声信号の通信用チャネルに設定される送信者番号を取り出し、基地局波音声信号と直接波音声信号の両方を受信しているときは、両方の送信者番号を比較することで出力する音声信号を選択する。【選択図】図２
2011124829.tif 000002
【特許請求の範囲】
【請求項１】
無線基地局からの基地局波信号と他の無線端末からの直接波信号を同時に受信する２つの受信機を備えた無線通信システムであって、
基地局波信号を受信する基地局波信号受信手段と、
直接波信号を受信する直接波信号受信手段と、
前記基地局波信号と前記直接波信号の通信用チャネルの送信者番号を取り出す送信者番号取出手段と、
前記送信者番号に基づいて前記基地局波信号、前記直接波信号、前記基地局波信号と前記直接波信号の合成信号のいずれかの選択処理を行う選択処理手段と、
前記選択処理手段の選択に基づいて前記基地局波信号、前記直接波信号、前記合成信号のいずれかを出力する信号出力手段と、
を備えることを特徴とする無線通信システム。
【発明の詳細な説明】
【技術分野】
【０００１】
本発明は、無線通信システムにおいて、２つの受信機を備えた無線端末が、他の無線端末から送信される音声信号（以下、直接波音声信号という）と、基地局を経由して他の無線端末から送信される音声信号（以下、基地局波音声信号という）を同時に受信したときに、いずれかの音声信号を選択する方式（以下、音声信号選択方式という）の技術に関する。
【背景技術】
【０００２】
複数の無線端末と無線基地局から構成されるＳＣＰＣ（Single Channel Per Carrier）方式の無線通信システムにおいて、２つの受信機を備えた無線端末が直接波音声信号と基地局波音声信号の両方の電波を同時に受信したときに、無線端末から送信される同期バースト信号に設定される送信者番号によって直接波音声信号または基地局波音声信号を区別し、何れかの音声信号を選択している。送信者番号とは、無線端末それぞれに付与されている識別情報であればどのようなものでもよく、例えば端末ＩＤや電話番号等でもよい。図５に、同期バースト信号のフォーマットの一例を示す。同期バースト信号のフォーマット５００は、ＬＰ＋Ｒ、Ｐｂ、ＲＩ、ＳＷ、ＰＩＣＨ、Ｇの項目から構成されているデータである。各項目に記入されている数字は、各項目のビット数である。ＬＰ＋Ｒは、リニアライザ用プリアンブル及びバースト過渡応答用ガードタイムのデータである。Ｐｂは、プリアンブルのデータである。ＲＩは、無線情報チャネル用データである。ＳＷは、同期ワードである。ＰＩＣＨは、パラメータ情報チャネル用データである。Ｇは、ガードタイムのデータである。このような構成の同期バースト信号のフォーマット５００において、ＰＩＣＨに含まれる情報に送信者番号が設定される。
【０００３】
メッセージの送信者を識別する情報を、ユーザにとって利用し易くする技術として下記特許文献１がある。特許文献１では、ユーザがメッセージを受信したとき、「送信者名」情報に対応した送信者から受信した受信メッセージの一覧を表示させて閲覧することができる。
【先行技術文献】
【特許文献】
【０００４】
【特許文献１】特開２００２−２９７５１１
【発明の概要】
【発明が解決しようとする課題】
【０００５】
特許文献１の技術では、メッセージの日付や送信者毎のメッセージ数などの情報に基づいて送信者選択メニューを自動的に作成することで、ユーザは容易に送信者の識別を行うことができる。しかし、送信者の情報に基づいて直接波音声信号と基地局波音声信号のどちらの信号を有効とするかの判断を行っていない。また、従来の同期バースト信号に設定される送信者番号で、直接波音声信号または基地局波音声信号の何れかの音声信号を選択するときに、通信チャネルの起動の失敗などによる影響で同期がとれなくなった場合には、再同期により通信チャネルを捕捉する。しかし、再同期までに時間を要し、また通信チャネルを捕捉するときに、直接波音声信号と基地局波音声信号のどちらの信号を有効にすればよいか判断できないことがあり、無線端末は無音状態になると言う問題があった。
【０００６】
本発明はこのような状況に鑑みてなされたものであり、上記課題を解決できる無線通信システムを提供することを目的とする。
【課題を解決するための手段】
【０００７】
本発明の無線通信システムは、無線基地局からの基地局波信号と他の無線端末からの直接波信号を同時に受信する２つの受信機を備えた無線通信システムであって、基地局波信号を受信する基地局波信号受信手段と、直接波信号を受信する直接波信号受信手段と、前記基地局波信号と前記直接波信号の通信用チャネルの送信者番号を取り出す送信者番号取出手段と、前記送信者番号に基づいて前記基地局波信号、前記直接波信号、前記基地局波信号と前記直接波信号の合成信号のいずれかの選択処理を行う選択処理手段と、前記選択処理手段の選択に基づいて前記基地局波信号、前記直接波信号、前記合成信号のいずれかを出力する信号出力手段と、を備えることを特徴としている。
【発明の効果】
【０００８】
本発明によれば、無線端末が受信する直接波音声信号と基地局波音声信号の通信用チャネルに設定されている送信者番号に基づいて、直接波音声信号または基地局波音声信号のいずれか、又は両方を選択することで、適切な音声信号を出力する無線通信システムを提供することができる。
【図面の簡単な説明】
【０００９】
【図１】本発明の実施形態に係る無線通信システムの構成を示す図である。
【図２】本発明の実施形態に係る無線端末の機能構成を示す図である。
【図３】本発明の実施形態に係る通信用チャネルのフレーム構成を示す図である。
【図４】本発明の実施形態に係る音声選択処理の処理手順を示すフローチャートである。
【図５】従来技術における同期バースト信号のフォーマット構成を示す図である。
【発明を実施するための形態】
【００１０】
以下、本発明を実施するための実施の形態（以下、「実施形態」という）を、図面を参照して説明する。まず、図１に示す無線通信システム１００の構成について説明する。無線通信システム１００は、回線制御装置１０、無線基地局２０、無線端末３０、無線端末４０、アプローチ線５０、通信ゾーン６０、有線端末７０及び有線回線８０から構成されている。回線制御装置１０は、無線基地局２０と有線端末７０の間の回線の切り替えなどの制御、データの送受信制御などを行う装置である。無線基地局２０は、無線端末３０、無線端末４０及び有線端末７０の間のデータ送受信を行うための基地局である。無線端末３０は、２つの受信機を備えた移動可能な端末で、無線端末４０とデータの送受信を直接行うことができ、また無線基地局２０を経由して無線端末４０とデータの送受信を行うことができる。無線端末４０は、無線端末３０と同様に２つの受信機を備えた移動可能な端末で、無線端末３０とデータの送受信を直接行うことができ、また無線基地局２０を経由して無線端末３０とデータの送受信を行うことができる。このような構成の通信システム１００において、例えば無線端末３０から無線基地局２０と無線端末４０に周波数ＦＬ１を使用してデータを送信すると、無線基地局２０が周波数ＦＬ１のデータを受信し、更にそのデータを周波数ＦＨ１を使用して無線端末４０に送信する。このため、無線端末４０では、無線端末３０から送信される周波数ＦＬ１のデータと同じデータを、無線基地局２０を経由して無線端末３０から周波数ＦＨ１のデータで受信する。
【００１１】
アプローチ線５０は、回線制御装置１０と無線基地局２０とを接続する無線または専用線などの中継用回線である。通信ゾーン６０は、無線基地局２０と無線端末３０、無線端末４０とが通信可能な範囲である。有線端末７０は、有線回線８０により回線制御装置１０と接続されている固定の端末で、無線端末３０と無線端末４０に指令などの情報を送信する端末である。
【００１２】
次に、図２を参照して無線端末３０と無線端末４０の機能構成について説明する。無線端末３０と無線端末４０は、アンテナ２０１、空中線共用器２０２、送信部２０３、受信部（基地局波用）２０４、受信部（直接波用）２０５、音声選択合成回路２０６、制御部２０７、マイク２０８、音声増幅部２０９及びスピーカ２１０から構成されている。音声選択合成回路２０６は、音声選択部２０６ａ、可変抵抗器（以下、ＶＲという）２０６ｂ、可変抵抗器（以下、ＶＲという）２０６ｃ、音声合成部２０６ｄ及び音声切換スイッチ２０６ｅから構成されている。また、制御部２０７には、音声選択処理部２０７ａを備えている。
【００１３】
アンテナ２０１は、空中から電波を受信すると空中線共用器２０２に出力し、また、アンテナ２０１は、空中線共用器２０２から出力された信号を、空中に電波で送信する機器である。空中線共用器２０２は、送信部２０３、受信部（基地局波用）２０４及び受信部（直接波用）２０５をアンテナ２０１に接続するための機器であり、送信部２０３、受信部（基地局波用）２０４及び受信部（直接波用）２０５の干渉を防止する。送信部２０３は、マイク２０８から音声信号を入力し、音声信号を送信周波数（ＦＬ１）の信号に変換してから空中線共用器２０２に出力する部位である。受信部（基地局波用）２０４は、空中線共用器２０２から入力した受信周波数（ＦＨ１）の信号を、基地局波音声信号として音声選択合成回路２０６に出力する部位である。受信部（直接波用）２０５は、空中線共用器２０２から入力した受信周波数（ＦＬ１）の信号を、直接波音声信号として音声選択合成回路２０６に出力する部位である。
【００１４】
音声選択合成回路２０６は、受信部（基地局波用）２０４から入力する基地局波音声信号と、受信部（直接波用）２０５から入力する直接波音声信号のどちらかを選択または合成する回路である。音声選択部２０６ａは、制御部２０７の音声選択処理部２０７ａからの指令により、受信部（基地局波用）２０４から出力される基地局波音声信号、または受信部（直接波用）２０５から出力される直接波音声信号のどちらかを選択し、音声切換スイッチ２０６ｅに出力する部位である。ＶＲ２０６ｂは、音声選択処理部２０７ａからの指令により、受信部（基地局波用）２０４から出力される基地局波音声信号用の抵抗値であるボリュームを変更する機器である。ＶＲ２０６ｃは、音声選択処理部２０７ａからの指令により、受信部（直接波用）２０５から出力される直接波音声信号用の抵抗値であるボリュームを変更する機器である。音声合成部２０６ｄは、ＶＲ２０６ｂから入力する基地局波音声信号と、ＶＲ２０６ｃから入力する直接波音声信号とを合成し、音声切換スイッチ２０６ｅに出力する部位である。音声切換スイッチ２０６ｅは、音声選択処理部２０７ａからの指令により、音声選択部２０６ａまたは音声合成部２０６ｄのいずれかに切り換え、切り換えた側の音声信号を音声増幅部２０９に出力するスイッチである。
【００１５】
制御部２０７は、無線端末３０または無線端末４０の全体を制御する部位である。音声選択処理部２０７ａは、音声選択回路２０６に対して音声信号の選択や合成の指令を出力する部位である。また、音声選択処理部２０７ａは、受信部（基地局波用）２０４から基地局波音声信号を入力することで、受信部（基地局波用）２０４が基地局波音声信号を受信しているかを判定する。同様に、音声選択処理部２０７ａは、受信部（直接波用）２０５から直接波音声信号を入力することで、受信部（直接波用）２０５が直接波音声信号を受信しているかを判定する。音声増幅部２０９は、音声信号を増幅する部位である。スピーカ２１０は、音声増幅部２０９から音声信号を入力し、音声を出力する機器である。
【００１６】
次に、受信部（基地局波用）２０４と受信部（直接波用）２０５で受信する音声信号を識別するための送信者番号について説明する。本発明の実施形態においては、送信者番号は同期バースト信号と通信用チャネルに設定され送信されるが、本実施の形態では通信用チャネルに設定される送信者番号のみを使用する。同期バースト信号のフォーマット構成については、図５に示す従来技術における同期バースト信号のフォーマット５００に同じである。
【００１７】
図２に示す受信部（基地局波用）２０４の受信周波数（ＦＨ１）と、受信部（直接波用）２０５の受信周波数（ＦＬ１）の通信用チャネルについて説明する。図３（１）に、通信用チャネルのスーパフレーム構成３００を示す。通信用チャネルのスーパフレームは、チャネル０〜１７で１スーパフレームを構成している。チャネル０〜１７の各々のチャネルは、低速付随制御チャネル（Slow Associated Control Channel、以下、ＳＡＣＣＨという）を含むフレームからなり、チャネル０、１は、フレームにデータが設定されない未定義のチャネルであり、チャネル２〜１７は、フレームにデータが設定されるチャネルである。また、チャネル２〜９（Ｓ０〜Ｓ７）が第１ユニットとなり、チャネル１０〜１７（Ｓ０〜Ｓ７）が第２ユニットとなる。図３（２）に、各チャネルのフレームフォーマット３０１を示す。チャネルのフレームフォーマット３０１は、ＬＰ＋Ｒ、Ｐａ、ＴＣＨ／ＦＡＣＣＨ、ＲＩ、ＳＷ、ＳＡＣＣＨの項目から構成されているデータである。各項目に記入されている数字は、各項目のビット数である。ＬＰ＋Ｒは、リニアライザ用プリアンブル及びバースト過渡応答用ガードタイムのデータである。Ｐａは、プリアンブルのデータである。ＴＣＨ／ＦＡＣＣＨのＴＣＨはトラフックチャネル用データであり、ＦＡＣＣＨは高速付随制御チャネル（Fast Associated Control Channel）用データである。ＲＩは、無線情報チャネル用データである。ＳＷは、同期ワードである。ＳＡＣＣＨは、低速付随制御チャネル（Slow Associated Control Channel）用データである。図３（３）に、第１ユニットと第２ユニットによって送信される送信者番号設定データの構成３０２を示す。送信者番号設定データは、６バイト（４８ビット）のデータであり、第１ユニットのチャネル２〜９（Ｓ０〜Ｓ７）の８フレーム、又は第２ユニットのチャネル１０〜１７（Ｓ０〜Ｓ７）の８フレームによって伝送されるデータである。このように、８フレームで４８ビットの送信者番号設定データが送信されるので、１フレームでは送信者番号設定データの内の６ビットが送信される。この送信者番号設定データの内の６ビットは、図３（２）に示すフレームフォーマットのＳＡＣＣＨに設定される。そして、このＳＡＣＣＨに設定される６ビット／１フレームの情報を合成すると、図３（３）に示すような送信者番号設定データの構成３０２となり、この送信者番号設定データに送信者番号が設定されている。
【００１８】
次に、受信部（基地局波用）２０４から出力される基地局波音声信号と受信部（直接波用）２０５から出力される直接波音声信号のいずれかを選択する音声選択処理について説明する。無線端末４０において、無線端末３０または無線基地局２０から音声信号を受信すると、制御部２０７の音声選択処理部２０７ａが音声選択処理を開始する。また同様に、無線端末３０において、無線端末４０または無線基地局２０から音声信号を受信すると、制御部２０７の音声選択処理部２０７ａが音声選択処理を開始する。以下、図４に示す音声選択処理の処理手順を示すフローチャートについて、図２と図３をも参照してステップ順に説明する。
【００１９】
（ステップＳ４０１）
まず、音声選択処理部２０７ａは、受信部（基地局波用）２０４から基地局波音声信号を入力し、受信部（基地局波用）２０４が基地局波音声信号を受信しているかを確認する。受信部（基地局波用）２０４が、基地局波音声信号を受信しているとき(ステップＳ４０１のＹｅｓ)は、直接波音声信号を受信しているかを確認するステップＳ４０２に進む。また、受信部（基地局波用）２０４が基地局波音声信号を受信していないとき(ステップＳ４０１のＮｏ)は、直接波音声信号を受信しているかを確認するステップＳ４０６に進む。
【００２０】
（ステップＳ４０２）
ステップＳ４０１がＹｅｓの場合、音声選択処理部２０７ａは、受信部（直接波用）２０５から直接波音声信号を入力し、受信部（直接波用）２０５が直接波音声信号を受信しているかを確認する。受信部（直接波用）２０５が、直接波音声信号を受信しているとき(ステップＳ４０２のＹｅｓ)は、基地局波音声信号の送信者番号と直接波音声信号の送信者番号を比較するステップＳ４０３に進む。また、受信部（直接波用）２０５が直接波音声信号を受信していないとき(ステップＳ４０２のＮｏ)は、基地局波音声信号を選択するステップＳ４０５に進む。
【００２１】
（ステップＳ４０３）
ステップＳ４０２がＹｅｓの場合、音声選択処理部２０７ａは、基地局波音声信号の送信者番号と直接波音声信号の送信者番号を比較し、一致しているかを確認する。尚、基地局波音声信号の送信者番号と直接波音声信号の送信者番号は、通信用チャネルのＳＡＣＣＨフレームによって送信される送信者番号設定データに設定される図３（３）に示す送信者番号から取り出す。基地局波音声信号の送信者番号と直接波音声信号の送信者番号が一致しているとき(ステップＳ４０３のＹｅｓ)は、直接波音声信号を選択するステップＳ４０７に進む。このように、基地局波音声信号と直接波音声信号の両方を受信し、送信者番号が一致しているときは、基地局波音声信号の方が伝送路が長いので直接波音声信号を選択する。また、基地局波音声信号の送信者番号と直接波音声信号の送信者番号が一致していないとき(ステップＳ４０３のＮｏ)は、基地局波音声信号と直接波音声信号の合成を選択するステップＳ４０４に進む。このように、基地局波音声信号と直接波音声信号の両方を受信しているが、送信者番号が一致していないときは、無線基地局２０を経由して送信された有線端末７０からの指令の音声信号を受信し、更に無線端末３０（自局が無線端末４０のとき）または無線端末４０（自局が無線端末３０のとき）から送信された音声信号を受信しているので、両方の音声を出力するために基地局波音声信号と直接波音声信号を合成する。
【００２２】
（ステップＳ４０４）
ステップＳ４０３がＹｅｓの場合、音声選択処理部２０７ａは、基地局波音声信号と直接波音声信号の合成を選択するので、音声切換スイッチ２０６ｅに対して音声合成部２０６ｄ側に切り換える指令を出力する。この指令により、音声切換スイッチ２０６ｅは音声合成部２０６ｄ側にスイッチを切り換える。そして、音声選択処理部２０７ａは、音声選択処理を終了する。
【００２３】
（ステップＳ４０５）
ステップＳ４０２がＮｏの場合、音声選択処理部２０７ａは基地局波音声信号を選択するために、音声選択部２０６ａに対して受信部（基地局波用）２０４側に切り換える指令を出力する。この指令により、音声選択部２０６ａは受信部（基地局波用）２０４側に切り換える。更に、音声選択処理部２０７ａは、音声切換スイッチ２０６ｅに対して、音声選択部２０６ａ側に切り換える指令を出力する。この指令により、音声切換スイッチ２０６ｅは、音声選択部２０６ａ側にスイッチを切り換える。そして、音声選択処理部２０７ａは、音声選択処理を終了する。
【００２４】
（ステップＳ４０６）
ステップＳ４０１がＮｏの場合、音声選択処理部２０７ａは、受信部（直接波用）２０５から直接波音声信号を入力し、受信部（直接波用）２０５が直接波音声信号を受信しているかを確認する。受信部（直接波用）２０５が、直接波音声信号を受信しているとき(ステップＳ４０６のＹｅｓ)は、直接波音声信号を選択するステップＳ４０７に進む。また、受信部（直接波用）２０５が直接波音声信号を受信していないとき(ステップＳ４０６のＮｏ)は、音声信号の出力を停止するステップＳ４０８に進む。
【００２５】
（ステップＳ４０７）
ステップＳ４０６がＹｅｓの場合、音声選択処理部２０７ａは直接波音声信号を選択するので、音声選択部２０６ａに対して受信部（直接波用）２０５側に切り換える指令を出力する。この指令により、音声選択部２０６ａは受信部（直接波用）２０５側に切り換える。更に、音声選択処理部２０７ａは、音声切換スイッチ２０６ｅに対して、音声選択部２０６ａ側に切り換える指令を出力する。この指令により、音声切換スイッチ２０６ｅは、音声選択部２０６ａ側にスイッチを切り換える。そして、音声選択処理部２０７ａは、音声選択処理を終了する。
【００２６】
（ステップＳ４０８）
ステップＳ４０６がＮｏの場合、受信部（基地局波用）２０４は基地局波音声信号を受信していない、また受信部（直接波用）２０５も直接波音声信号を受信していないので、音声選択処理部２０７ａは、音声出力を停止する。そして、音声選択処理部２０７ａは、音声選択処理を終了する。
【００２７】
以上の実施形態においては、無線基地局２０、無線端末３０、無線端末４０及び有線端末７０から構成される無線通信システム１００について説明したが、複数の無線基地局、複数の無線端末及び複数の有線端末から構成される無線通信システムにおいても、本発明の実施形態の音声選択処理を適用することが可能である。また、実施形態では音声信号とその合成について説明したが、音声出力のためのスピーカの代わりに表示部を設け、非音声信号について音声信号と同様の処理を行うようにすることも可能である。更にスピーカと表示部を併設することで、音声信号と非音声信号とを同時に処理を行うようにすることも可能である。
【００２８】
このような実施形態によれば、無線端末が受信する直接波音声信号と基地局波音声信号の通信用チャネルに設定されている送信者識別番号に基づいて、直接波音声信号または基地局波音声信号のいずれか、又は両方を選択することで、適切な音声信号を出力する無線通信システムを提供することができる。
【００２９】
以上、具体的な実施の形態により本発明を説明したが、上記実施の形態は本発明の例示であり、この実施の形態に限定されないことは言うまでもない。
【００３０】
以上をまとめると、本発明は次のような特徴を有する。
（１） 本発明の無線通信システムは、無線基地局からの基地局波信号と他の無線端末からの直接波信号を同時に受信する２つの受信機を備えた無線通信システムであって、基地局波信号を受信する基地局波信号受信手段と、直接波信号を受信する直接波信号受信手段と、前記基地局波信号と前記直接波信号の通信用チャネルの送信者番号を取り出す送信者番号取出手段と、前記送信者番号に基づいて前記基地局波信号、前記直接波信号、前記基地局波信号と前記直接波信号の合成信号のいずれかの選択処理を行う選択処理手段と、前記選択処理手段の選択に基づいて前記基地局波信号、前記直接波信号、前記合成信号のいずれかを出力する信号出力手段と、を備えることを特徴としている。
（２） 無線基地局からの基地局波信号と他の無線端末からの直接波信号を同時に受信する２つの受信機を備えた無線通信システムであって、基地局波信号を受信する基地局波信号受信手段と、直接波信号を受信する直接波信号受信手段と、前記基地局波信号と前記直接波信号の通信用チャネルの送信者番号を取り出す送信者番号取出手段と、前記送信者番号に基づいて前記基地局波信号、前記直接波信号、前記基地局波信号と前記直接波信号の合成信号のいずれかの選択処理を行う選択処理手段と、前記選択処理手段の選択に基づいて前記基地局波信号、前記直接波信号、前記合成信号のいずれかを出力する信号出力手段と、を備えることを特徴としている。
（３） （１）の無線通信システムは、前記選択処理手段の選択に基づいて前記基地局波信号または前記直接波信号を選択する選択手段と、前記選択処理手段の選択に基づいて前記基地局波信号と前記直接波信号を合成する合成手段と、前記選択処理手段の選択に基づいて前記選択手段から出力される信号または前記合成手段から出力される信号のいずれかに切り換える切換スイッチ手段と、を前記信号出力手段に備えることを特徴としている。
（４） （１）または（２）の無線通信システムが前記基地局波信号のみを受信しているときには、前記選択処理手段は、前記基地局波信号を選択することを特徴としている。
（５） （１）から（３）の無線通信システムが前記直接波信号のみを受信しているときには、前記選択処理手段は、前記直接波信号を選択することを特徴としている。
（６） （１）から（４）の無線通信システムが前記基地局波信号と前記直接波信号の両方を受信しているときには、前記選択処理手段は、前記基地局波信号の前記送信者番号と前記直接波信号の前記送信者番号を比較し、前記送信者番号が一致しているときは前記直接波信号を選択し、前記送信者番号が一致していないときは前記基地局波信号と前記直接波信号の合成を選択することを特徴としている。
（７） （１）から（５）の無線通信システムが前記基地局波信号または前記直接波信号のどちらも受信していないときには、前記選択処理手段は、信号の出力を停止することを特徴としている。
（８） 本発明の無線通信システムの信号選択方式は、無線基地局からの基地局波信号と他の無線端末からの直接波信号を同時に受信する２つの受信機を備えた無線通信システムであって、基地局波信号を受信する基地局波信号受信工程と、直接波信号を受信する直接波信号受信工程と、前記基地局波信号と前記直接波信号の通信用チャネルの送信者番号を取り出す送信者番号取出工程と、前記送信者番号に基づいて前記基地局波信号、前記直接波信号、前記基地局波信号と前記直接波信号の合成信号のいずれかの選択処理を行う選択処理工程と、前記選択処理工程の選択に基づいて前記基地局波信号、前記直接波信号、前記合成信号のいずれかを出力する信号出力工程と、を備えることを特徴としている。
【産業上の利用可能性】
【００３１】
本発明は、無線通信システムに好適であるが、無線通信システムに限られるものではなく、各所からデータを受信するシステム一般に適用可能である。
【符号の説明】
【００３２】
１０・・・・・・・・回線制御装置
２０・・・・・・・・無線基地局
３０・・・・・・・・無線端末
４０・・・・・・・・無線端末
５０・・・・・・・・アプローチ線
６０・・・・・・・・通信ゾーン
７０・・・・・・・・有線端末
８０・・・・・・・・有線回線
１００・・・・・・・・無線通信システム
２０１・・・・・・・・アンテナ
２０２・・・・・・・・空中線共用器
２０３・・・・・・・・送信部
２０４・・・・・・・・受信部（基地局波用）
２０５・・・・・・・・受信部（直接波用）
２０６・・・・・・・・音声選択合成回路
２０６ａ・・・・・・・音声選択部
２０６ｂ・・・・・・・可変抵抗器（ＶＲ）
２０６ｃ・・・・・・・可変抵抗器（ＶＲ）
２０６ｄ・・・・・・・音声合成部
２０６ｅ・・・・・・・音声切換スイッチ
２０７・・・・・・・・制御部
２０７ａ・・・・・・・音声選択処理部
２０８・・・・・・・・マイク
２０９・・・・・・・・音声増幅部
２１０・・・・・・・・スピーカ
３００・・・・・・・・通信用チャネルのスーパフレーム構成
３０１・・・・・・・・フレームフォーマット
３０２・・・・・・・・送信者番号設定データの構成
５００・・・・・・・・同期バースト信号のフォーマット
【図１】
2011124829.tif 000003
【図２】
2011124829.tif 000004
【図３】
2011124829.tif 000005
【図４】
2011124829.tif 000006
【図５】
2011124829.tif 000007